(57)【特許請求の範囲】
【請求項１】
発射装置から発射された遊技球が転動可能な遊技領域を有する遊技盤と、
前記遊技盤の遊技領域内に設けられ、遊技球が入賞可能な開放状態と、入賞不能な閉鎖状態とに相互に切り替わる入賞口装置と、
前記遊技盤に設けられ、前記入賞口装置を開放状態にする大当たりに関連する図柄と、前記入賞口装置を開放状態にしない外れに関連する図柄とを遊技者に報知する表示パネルと、
前記遊技盤に設けられ、前記図柄遊技を演出する可動役物と、
前記可動役物に、駆動源からの動力を伝達する動力伝達機構とを備え、
前記遊技盤において前記遊技領域側の前面には凹部が設けられ、前記凹部内に前記表示パネルが収容されるとともに、前記表示パネルの背部であって前記凹部内に前記動力伝達機構が収容されていることを特徴とするパチンコ機。
【発明の詳細な説明】
【技術分野】
【０００１】
本発明は、遊技球であるパチンコ球が転動する遊技盤に表示装置が備えられるパチンコ機に関し、特に、大型の表示装置が備えられるパチンコ機に関するものである。
【背景技術】
【０００２】
現在のパチンコ機のほとんどが、パチンコ球が転動する遊技領域を構成する遊技盤に興趣性向上のための表示装置が取り付けられている。
【０００３】
このパチンコ機に取り付けられる表示装置は、画像や映像が表示される表示パネルと、当該表示パネルを駆動する駆動装置からなるものであり、大当たりの状態となるか外れの状態となるかを報知する図柄が表示されるとともに、前記図柄が表示されるまでの間、遊技者の注意を引きつけ興趣性を向上させるために、例えば、縦、または、横、斜めに次々と数字や模様からなる図柄が表示されるものである。
【０００４】
近年、さらに興趣性を向上させるため、当たりか外れかの図柄が表示される前後に、様々なキャラクターがストーリーを展開する映像が表示される傾向にあり、これら映像の表現力を向上させるために、さらに大型の表示装置が採用される傾向にある。
【０００５】
一般に、パチンコ機に設けられる表示装置としては、液晶表示装置が主として採用されている。この液晶表示装置とは、液晶パネルと当該液晶パネル全体に光を裏面から投射するバックライト等からなる表示パネルと、液晶の偏光を制御して様々な画像を表示させる表示駆動回路とともにパッケージ化されたものであり、前記パッケージのまま遊技盤に取り付けられることが多い。
【０００６】
ただし、転動してくるパチンコ球の邪魔にならないように、遊技盤面と面一または陥没した状態で液晶表示装置は遊技盤に取り付けられている。つまり、液晶表示装置は、遊技盤の一部に設けられる厚さ方向に貫通した貫通孔に液晶表示装置が収容された状態で取り付けられ、遊技盤面との面一が確保される。
【０００７】
また、電子ペーパが表示装置として採用される場合、電子ペーパーは薄型であるため、図７に示すように、遊技盤６の嵌め込み凹部に電子ペーパ表示器３００を嵌め込んで取り付けることが開示されている（例えば、特許文献１）。
【０００８】
一方、現在のパチンコ機はさらに、表示パネルに表示された映像などに基づく興趣性向上効果に加えて、表示パネルの近辺で動く人形のようないわゆる可動役物を設け、さらなる興趣性の向上を図っている（例えば、特許文献２）。この可動役物は、表示パネルに現れる画像や大当たりの状態と連動して動作をすることで、遊技における数々の報知や演出を行っている。
【特許文献１】特開２００４−２６７３７５号公報
【特許文献２】特開２００４−８５３８号公報
【発明の開示】
【発明が解決しようとする課題】
【０００９】
ところが、前述の表示パネルが大型化するにつれ、種々の問題が発生してきている。
例えば、表示パネルを取り付けるための貫通孔は、表示パネルのサイズに対応して大きくする必要があるが、当該大型の貫通孔が設けられる遊技盤は、剛性や強度の低下が懸念されるようになってきている。
【００１０】
また、表示パネルの大型化に伴い発熱量も増加しており、この熱対策も必要になってきている。
【００１１】
また、表示パネルの大型化に伴って、従来、可動役物を駆動させるための動力源や動力伝達機構などが設けられていた遊技盤裏の領域が、表示パネルやその駆動装置に占められてしまい、少なくとも表示パネルの近傍に可動役物を配置することが困難になってきている。
【００１２】
本発明は上記問題に鑑みなされたものであり、表示パネルの大型化が進んでも、遊技盤の強度を維持しつつ、表示パネルから放出される熱の処理と、可動役物の取付スペースの確保を実現しうるパチンコ機の提供を目的とする。
【課題を解決するための手段】
【００１３】
上記目的を達成するために、本発明にかかるパチンコ機は、発射装置から発射された遊技球が転動可能な遊技領域を有する遊技盤と、前記遊技盤の遊技領域内に設けられ、遊技球が入賞可能な開放状態と、入賞不能な閉鎖状態とに相互に切り替わる入賞口装置と、前記遊技盤に設けられ、前記入賞口を開放状態にする大当たりに関連する図柄と、前記入賞口装置を開放状態にしない外れに関連する図柄とを遊技者に報知する表示パネルと、前記遊技盤に設けられ、前記図柄遊技を演出する可動役物と、前記可動役物に、駆動源からの動力を伝達する動力伝達機構とを備え、前記遊技盤において前記遊技領域側の前面には凹部が設けられ、前記凹部内に前記表示パネルが収容されるとともに、前記表示パネルの背部であって前記凹部内に前記動力伝達機構が収容されていることを特徴とする。
【００１４】
これにより、表示パネルが遊技盤に設けられる凹部に収容されるため、遊技盤に大きな貫通孔を設ける必要がなく、遊技盤の欠損量を低く抑え、遊技盤全体の剛性や強度の低下を可及的に抑止することができる。
【００１５】
さらに、動力伝達機構の配置空間を容易に確保することができ、可動役物を表示パネルの近傍で動作させることが可能となる。併せて、凹部内に滞留する熱を動力伝達機構により攪拌することが可能となる。
【発明の効果】
【００１６】
本発明によれば、遊技盤に設けられた凹部に表示パネルを収納することにより、遊技盤の強度を確保しつつ、凹部の内部空間に可動役物の動力伝達機構を配置することにより可動役物の取付スペースを確保し、表示パネルから放出される熱を攪拌し処理することが可能となる。
【発明を実施するための最良の形態】
【００１７】
以下、本発明に係るパチンコ機１００の実施の形態を、図面を参照しつつ説明する。
図１は、本発明の実施の形態におけるパチンコ機１００の斜視図である。
【００１８】
本実施の形態におけるパチンコ機１００は、図１（ａ）に示されるように、外枠１０１、前枠１０２、ガラス扉１０３、およびガラス扉１０３に覆われた遊技盤１０４などを備えている。
【００１９】
また、パチンコ機１００の背面は、図１（ｂ）に示されるように、各種演出を制御する演出基盤１０５、各種遊技音の出力制御を行なう音サブ基盤１０６、入賞時におけるパチンコ機１００の動作等を含むパチンコ機１００の主要な動作を制御する主基盤１０７、パチンコ球の払い出し動作を制御する払出基盤１０８、各基盤等に電源を供給する電源基盤１０９等の各種基盤を透明ケースに収納した状態で備えている。
【００２０】
図２は、パチンコホールの台島に設置された状態のパチンコ機１００を示す斜視図である。
【００２１】
同図に示すように、台島には前後方向に貫通した四角筒状の孔が形成され、パチンコ機１００の外枠１０１が前記孔に取り付けられている。
【００２２】
前枠１０２は、外枠１０１以外のパチンコ機１００の構成要素を全て保持しており、外枠１０１に対しヒンジを介して取り付けられているため、パチンコ機１００が台島に取り付けられた状態で、前枠１０２を外枠１０１に対し開けることで、パチンコ機１００の背面を臨むことができるようになっている。
【００２３】
ガラス扉１０３は、前枠１０２に対しヒンジを介して取り付けられており、前枠１０２に対し開閉可能となされている。また、ガラス扉１０３は円形孔状の窓部を有し、窓部の内周面には透明なガラス板が固定されている。
【００２４】
図３は、遊技盤１０４の正面図である。
遊技盤１０４は、パチンコ球が転動する遊技領域を有する板状の部材であり、上述の前枠１０２に取り付けられ、その前面はガラス扉１０３で覆われている。従って、ガラス扉１０３が備えるガラス板を通してパチンコ機１００の前面から遊技領域が望めるようになっている。
【００２５】
また、この遊技盤１０４は、発射装置から発射されたパチンコ球がガイドされるレールセットと、パチンコ球が入ることによって大当たりか否かの抽選が開始する始動口１１４と、大当たりの状態となった場合には開放状態となり、それ以外の時には閉鎖状態となる大入賞口１１５と、常に開放状態であってパチンコ球が入れば所定数の賞球が払い出される一般入賞口１１６と、前記始動口１１４に入ったパチンコ球の数を４個まで表示する保留ランプ１１８と、図柄が表示される表示パネル１２１とを備えている。
【００２６】
また、表示パネル１２１に表示される図柄遊技は、始動口１１４へのパチンコ球の入球をきっかけに、主基盤１０７で抽選を行うとともに、表示パネル１２１に表示している複数の図柄を所定時間変動表示し、抽選の結果が外れである場合には、図３で示すように、異なる複数の図柄を表示パネル１２１に表示し、また、抽選結果が当たりである場合には、同一の複数の図柄を表示パネル１２１に表示して抽選結果を遊技者に報知する。
【００２７】
図４は、図３におけるＩ−Ｉ線で遊技盤１０４を切断し表示パネル１２１近傍を拡大した状態を示す断面図である。なお、動力伝達機構１４０についてはハッチングを省略している。
【００２８】
図５は、遊技盤１０４に設けられる凹部を示す正面図である。
これらの図に示すように遊技盤１０４には、有底の凹部１３０が設けられている。そして、凹部１３０の内部には、図４に示すように、透明保護部材１２４と、表示パネル１２１を構成する液晶パネル１２２、及び、バックライト１２３と、動力伝達機構１４０が収容されている。
【００２９】
一方、遊技盤１０４に設けられる凹部１３０に対応する遊技盤１０４の裏側には、駆動制御盤１５０と動力伝達機構１４０と、モータ１４２とが取り付けられている。また、透明保護部材１２４の前面上部には可動役物１４１が配設されている。
【００３０】
凹部１３０は、前面方向に開放口がある有底矩形の穴であり、遊技盤１０４に穿設されている。また、凹部１３０の上辺中央部には、凹部１３０と連通した可動領域１３１が突出状に設けられている。当該可動領域１３１は、可動役物１４１を稼働させるための空間である。
【００３１】
透明保護部材１２４は、遊技盤１０４に沿って転動するパチンコ球の衝撃から液晶パネル１２２などを保護するための部材であり、ガラスや透明な樹脂、例えばアクリルやポリカーボネートで構成された板状の部材である。また、透明保護部材１２４は、凹部１３０の前面を覆うようにして遊技盤１０４に固定されている。
【００３２】
表示パネル１２１の構成要素の一つである液晶パネル１２２は、ガラス基板の一面に液晶やカラーフィルタ、透明の電極などが設けられたものである。なお、液晶パネル１２２には液晶の駆動を制御し画像を表示させるラインドライバと称される電子部品が取り付けられている（図示せず）。
【００３３】
バックライト１２３は、液晶パネル１２２の背面から光を照射して液晶パネル１２２で表示される画像の視認性を向上させるためのものであり、発光源である冷陰極管と、冷陰極管からの光を液晶パネル１２２全体に広がらせるための導光板等とで構成されるものである。
【００３４】
動力伝達機構１４０は、表示パネル１２１の背部であって凹部１３０に収容され、図６に示すように、表示パネル１２１上部に配置される可動役物１４１を駆動するための機構であり、モータ１４２からの回転力を歯車の組み合わせにより伝達増幅させ、カムにより可動役物１４１を駆動するものである。なお、動力伝達機構１４０に回転力を付与するモータ１４２は、遊技盤１０４の裏側に取り付けられており、回転軸のみが遊技盤１０４に設けられた孔を通過して凹部１３０に到達するものとなされている。
【００３５】
このように、発熱源であるモータ１４２を凹部１３０の内部以外に設けることにより、凹部１３０内に熱が放出されるのを回避している。
【００３６】
動力伝達機構１４０に接続される可動役物１４１は、表示パネル１２１の上方に配置されており、その周囲に配置される装飾としての人形の一部を構成している。可動役物１４１は、表示パネル１２１に被らない位置で通常は静止し、何らかの演出を行う際は、直線的に下方に移動し、表示パネル１２１に被るように配置される。前記のように、可動役物１４１の通常の位置では、図５に示す可動領域１３１の前面を覆っており、凹部１３０内に埃が入り難くなっている。
【００３７】
駆動制御盤１５０は、液晶パネル１２２に画像を表示させるデータが保存され、ラインドライバに対し命令を出力するビデオディスプレイプロセッサ（ＶＤＰ）や、可動役物１４１を動作させるためにモータ１４２を制御する制御部を備えた装置であり、主基盤１０７や演出基盤１０５などからの情報に基づき種々の演出を表示パネル１２１に表示させ、また、可動役物１４１を動作させるための処理を司るものである。
【００３８】
本実施形態の場合、駆動制御盤１５０は、演出基盤１０５と遊技盤１０４との間に配置されており、演出基盤１０５と同様に、透明ケース内に収容されている。
【００３９】
なお、ラインドライバを当該駆動制御盤１５０に備えてもかまわない。当該構成にすることで、制御用の電子部品が凹部１３０から無くなるため、表示パネル１２１から放出する熱の影響により制御用の電子部品が誤動作することを回避できる。
【００４０】
上記実施形態の構成によれば、表示装置である表示パネル１２１が取り付けられる場所を、貫通孔ではなく有底の凹部１３０としたため、遊技盤１０４全体の剛性及び強度の低下を可及的に抑止することができる。
【００４１】
また、熱を放出する表示パネル１２１が凹部１３０に収容されているため、凹部１３０に熱が滞留する懸念があるが、凹部１３０の表示パネル１２１の背部に配置された動力伝達機構１４０を構成する歯車やカムなどが回転したり往復運動をしたりするため、凹部１３０内部の空気が攪拌され熱の滞留を解消することが可能となる。さらに、駆動制御盤１５０と表示パネル１２１とを接続する配線を通過させるための連通孔１３２や、可動役物１４１を稼働させるために設けられる、遊技盤１０４前面と連通する凹部１３０上方の可動領域１３１は、凹部１３０内部で攪拌された熱の排気口としても機能し、外部の空気を導入する吸気口としても機能するため、凹部１３０内部の温度上昇を抑制することが可能となる。
【００４２】
さらに、発熱部である表示パネル１２１と制御部である駆動制御部１５０とが遊技盤１０４に隔てられた状態で配設されているため、表示パネル１２１から放射される熱が駆動制御部１５０に影響するのを回避することができる。
【００４３】
また、表示パネル１２１の背部に動力伝達機構１４０が配置できるため、表示パネル１２１が大型のものであるほど動力伝達機構１４０の設置スペースが広がることとなる。また、表示パネル１２１の直近で可動役物１４１を動作させたり、表示パネル１２１に被さるように可動役物１４１を動作させたりすることが容易にできるようになる。
【００４４】
なお、本発明は上記実施形態に限定されるものではない。例えば、表示パネル１２１は液晶の表示装置ばかりでなく、プラズマディスプレイや、有機ＥＬディスプレイなど任意の表示装置を採用してもかまわない。
【００４５】
また、動力伝達機構１４０は歯車やカムばかりでなく、ベルトドライブやリンク機構など任意の駆動機構を採用し得る。また、駆動源もモータ１４２ばかりでなくロータリーアクチュエータやリニアアクチュエータなどを採用することができ、これらを凹部１３０の内部に配置してもかまわない。
【００４６】
さらに、空気の攪拌を促進するためのファンやブレードを歯車やカムなどの機構構成部材に設けてもかまわない。
【産業上の利用可能性】
【００４７】
本発明はパチンコ機に適用することができ、特に、大型の表示パネルを備えるパチンコ機に適用することができる。
【図面の簡単な説明】
【００４８】
【図１】本発明の実施の形態におけるパチンコ機の斜視図。
【図２】台島に設置された状態のパチンコ機を示す斜視図。
【図３】遊技盤の正面図。
【図４】図３におけるＩ−Ｉ線で遊技盤を切断した状態を示す断面図。
【図５】遊技盤に設けられる凹部の形状のみを示す正面図。
【図６】動力伝達機構を模式的に示す図。
【図７】従来の表示装置の取付態様を示す断面図。
【符号の説明】
【００４９】
１００…パチンコ機、１０４…遊技盤、１２０…液晶表示装置、１２１…表示パネル、１２２…液晶パネル、１２３…バックライト、１３０…凹部、１４０…動力伝達機構、１４１…可動役物
【図１】
0004775015.tif 000002
【図２】
0004775015.tif 000003
【図３】
0004775015.tif 000004
【図４】
0004775015.tif 000005
【図５】
0004775015.tif 000006
【図６】
0004775015.tif 000007
【図７】
0004775015.tif 000008